(57)【要約】【課題】  高齢期疑似状態を容易に、かつ、正確に、持続性良く作り出し得る高齢期シミュレーション装具及びその装着方法の提供。【解決手段】  腰部装着具２０と、この腰部装着具２０に取り付けられて身体の前面側から首の背面側に掛け回される長さ調節可能な首掛け具１０と、この腰部装着具２０に長さ調節可能な第１の連結手段５０によって連結される膝関節部装着具３０と、この膝関節部装着具３０に長さ調節可能な第２の連結手段６０によって連結される足関節部装着具４０とを備えている高齢期シミュレーション装具及びその装着方法。【選択図】図１
2007052207.tif 000002
【特許請求の範囲】
【請求項１】
腰部装着具と、
この腰部装着具に取り付けられて身体の前面側から首の背面側に掛け回される長さ調節可能な首掛け具と、
この腰部装着具に長さ調節可能な第１の連結手段によって連結される膝関節部装着具と、
この膝関節部装着具に長さ調節可能な第２の連結手段によって連結される足関節部装着具とを備えていることを特徴とする高齢期シミュレーション装具。
【請求項２】
請求項１に記載の高齢期シミュレーション装具を被験者に装着させ、
直立状態において首掛け具と、第１の連結手段と、第２の連結手段とを緩みの無い状態に長さ調節し、
ついで、この緩み無く調節された首掛け具と第１の連結手段とを、疑似高齢期状態とするように所定の比率で短縮することを特徴とする高齢期シミュレーション装具の装着方法。
【請求項３】
首掛け具と第１の連結手段とに長さ目盛が備えられており、
この長さ目盛が首掛け具及び第１の連結手段の長さ調節の目安としてあることを特徴とする請求項１に記載の高齢期シミュレーション装具。
【請求項４】
請求項３に記載の高齢期シミュレーション装具を被験者に装着させ、
直立状態において首掛け具と、第１の連結手段と、第２の連結手段とを緩みの無い状態に長さ調節し、
この緩み無く調節された首掛け具及び第１の連結手段における各長さ調節位置の目盛を読み取ると共に、この読み取り長さから疑似高齢期に対応する比率の長さを算出し、
ついで、この算出された長さに前記目盛を用いて前記首掛け具と第１の連結手段とを短縮することを特徴とする高齢期シミュレーション装具の装着方法。
【発明の詳細な説明】
【技術分野】
【０００１】
この発明は、高齢者に対応した各種設備、各種機器・器具、各種装備、各種衣料品、各種生活用品等の改良や、高齢者の各種動作の安全管理等をなす際に、対象となる高齢者における動作状況等を確実かつ容易に把握し得る高齢期シミュレーション装具及び当該高齢期シミュレーション装具の装着方法の提供に関する。
【背景技術】
【０００２】
一般的に、加齢に伴って筋力や反射神経等の身体機能の低下が認められる。かかる点から高齢者介護の対応、高齢者生活様式の想定、高齢者生活空間の設計、高齢者用品の開発等に際して、対象とされる高齢者の各身体機能に対応させる必要があった。
【０００３】
例えば、高齢者は、その加齢の程度に相応して床面におけるわずかな凹凸によっても蹴躓くなどの摺り足歩行となる傾向にあり、かかる経験を有していない高齢者の介護補助者や、高齢者用生活空間等の設計者や、高齢者用品等の開発者らによる介護補助態様や、設計・開発等が高齢者に適合し難い場合があった。
【０００４】
かかる点から、例えば、手足に高齢期状況をシミュレーションする手段として各高齢期に対応するように重りを装着し、この重りを装着した状況で各種動作、例えば、歩行動作等を確認し、高齢者の介護や、高齢者用生活空間の設計や、高齢者用品の開発等をなすようにしていた。
【０００５】
しかしながら、かかる手法にあっては、高齢期をシミュレーションする被験者特有の筋力等によって当該重りが本来の効果を被験者にもたらさず、想定される高齢期状況を確実に作り出し難い場合があった。
【０００６】
しかしながら、高齢者自体を被験者として、各種の動作を反復実験し、その基礎データの作成をすることは、高齢者の健康管理の面等から無理があった。かかる点から、特許文献１に示される高齢期疑似体験器具が提案されている。
【０００７】
この特許文献１に示される高齢期疑似体験器具は、人体を腰曲がり姿勢に規制する腰曲がり強制手段と、腰曲がり時の脚部の姿勢を規制する脚姿勢強制手段と、これらの手段を相互に連結して人体の所定位置に取付ける人体取付手段とを備えたものとしてあり、具体的には、腰ベルトと当該腰ベルトに取付けられた人体の前面から首の後ろに掛けられる首掛け帯と脚ベルトと当該脚ベルトを前記腰ベルトに連結する脚ベルト連結紐とを備えた構成としてある。
【特許文献１】特許第３３６０９９４号
【発明の開示】
【発明が解決しようとする課題】
【０００８】
しかしながら、この特許文献１に示される高齢期疑似体験器具にあっては、腰ベルトに対して脚ベルト連結紐によって連結される脚ベルトが、脚の回りに巻き付けられて装着される構成としてあることから、この脚ベルト連結紐及び首掛け帯を縮める向きに力を加えた際に、当該脚ベルトが初期の装着位置から股下側にずれ出すおそれががあり、目的とする所期の腰曲がり姿勢や、当該腰曲がり時における脚部の姿勢を正しく被験者にもたらし得ない不具合が想定される。
【０００９】
かかる点から、この特許文献１に示される高齢期疑似体験器具は、目的とされる各高齢期に対応した正確なシミュレーションに用いるには不向きであった。
【００１０】
また、従前における高齢期疑似体験器具にあっては、当該高齢期疑似体験器具を数値化された操作方法によって、簡易に、しかも、正確に、再現性良く被験者を目的とする各疑似高齢期状態とし得るものはなかった。
【００１１】
この発明は、かかる高齢期疑似体験器具における不具合を解消し、目的とする各高齢期状況を装着用いられる装具を所定比率又は所定長さに調節することによって、精度良く、かつ、簡易に被験者にもたらし得ると共に継続的、かつ、再現性よく反復シミュレーションし得るようにして、歩幅、歩速、床反力、重心動揺、関節モーメント等を確実、かつ、容易に反復・確認し得る高齢期シミュレーション装具及び当該高齢期シミュレーション装具の装着方法の提供をなすものである。
【課題を解決するための手段】
【００１２】
前記課題を解決するために、第１の発明は、腰部装着具と、この腰部装着具に取り付けられて身体の前面側から首の背面側に掛け回される長さ調節可能な首掛け具と、この腰部装着具に長さ調節可能な第１の連結手段によって連結される膝関節部装着具と、この膝関節部装着具に長さ調節可能な第２の連結手段によって連結される足関節部装着具とを備えていることを特徴とする高齢期シミュレーション装具としてある。
【００１３】
また、前記課題を解決するために第２の発明は、前記第１の発明に係る高齢期シミュレーション装具を被験者に装着させ、直立状態において首掛け具と、第１の連結手段と、第２の連結手段とを緩みの無い状態に長さ調節し、ついで、この緩み無く調節された首掛け具と第１の連結手段とを、疑似高齢期状態とするように所定の比率で短縮することを特徴とする高齢期シミュレーション装具の装着方法としてある。
【００１４】
このように構成される第１の発明及び第２の発明にあっては、高齢者を被験者とすることなく、適宜の被験者が当該高齢期シミュレーション装具を装着し、首掛け具及び第１の連結具を所定の比率で短縮することによって、目的とする年齢対応の高齢期状況を容易かつ確実にシミュレーションすることができ、このシミュレーションに基づいて高齢者介護方法等の想定や、高齢者用住空間の設計や、高齢者用施設の設計や、高齢者用装置・機器等の設計や、高齢者用品の設計等の参考とすることができる。
【００１５】
また、前記構成に係る高齢期シミュレーション装具にあっては、その一方側に備えられている首掛け具を被験者における首部に掛け、また、他方側に備えられている足関節部装着具を足関節部に装着する構成としてあることから、被験者が当該高齢期シミュレーション装具を装着して、前記首掛け具及び第１の連結手段を縮める向きに操作した際にあっても、腰部装着具及び膝関節部装着具が移動する不具合が無く、当該首掛け具及び第１の連結手段の短縮によって作り出された高齢期疑似状態を確実に維持し得る特長を有している。
【００１６】
また、前記課題を解決するために第３の発明は、前記第１の発明に係る高齢期シミュレーション装具における首掛け具と第１の連結手段とに長さ目盛が備えられており、この長さ目盛が首掛け具及び第１の連結手段の長さ調節の目安としてあることを特徴とする高齢期シミュレーション装具としてある。
【００１７】
また、前記課題を解決するために第４の発明は、前記第３の発明に係る高齢期シミュレーション装具を被験者に装着させ、直立状態において首掛け具と、第１の連結手段と、第２の連結手段とを緩みの無い状態に長さ調節し、この緩み無く調節された首掛け具及び第１の連結手段における各長さ調節位置の目盛を読み取ると共に、この読み取り長さから疑似高齢期に対応する比率の長さを算出し、ついで、この算出された長さに前記目盛を用いて前記首掛け具と第１の連結手段とを短縮することを特徴とする高齢期シミュレーション装具の装着方法としてある。
【００１８】
このように構成される第３の発明及び第４の発明にあっては、高齢期シミュレーション装具に備えられている目盛によって、首掛け具及び第１の連結手段を所定の比率又は所定の長さで、正確に短縮し、目的とする高齢期疑似状態を、より容易に、しかも、正確に、再現性良く作り出し得る特長を有している。
【発明の効果】
【００１９】
この発明に係る高齢期シミュレーション装具及び当該高齢期シミュレーション装具の装着方法は、いかなる被験者にも装着用い得ると共に、目的とする高齢期疑似状態を当該高齢期シミュレーション装具を所定比率又は所定長さに調節することによって、再現性良く、容易かつ正確に、持続性良く作り出し得るものであって、高齢者用の居住空間の設計や、高齢者用の装置・機器・器具類の開発や、高齢者用の装着物の開発や、高齢者介護システムの開発等に都合良く用いることができる。
【発明を実施するための最良の形態】
【００２０】
以下、図１〜図１０に基づいて、この発明を実施するための最良の形態に係る高齢期シミュレーション装具Ａ及び高齢期シミュレーション装具Ａの装着方法について説明する。
【００２１】
なお、ここで図１は当該発明を実施するための最良の形態に係る高齢期シミュレーション装具Ａを背筋を伸ばした自然な直立姿勢の状態で装着した状態を示しており、図２では、椅子に座って当該高齢期シミュレーション装具Ａにおける首掛け具１０及び第１の連結手段５０を被験者Ｂが目的とする高齢期疑似状態となるように縮めている状態を、図３では、被験者Ｂが装着した高齢期シミュレーション装具Ａにおける首掛け具１０及び第１の連結手段５０を縮めた疑似高齢期状態をそれぞれ示しており、図４では、ここで用いられている典型的な高齢期シミュレーション装具Ａを被験者Ｂから取り外した状態を、また、図５〜図７では、この高齢期シミュレーション装具Ａにおける長さ調節部分を示しており、特に、図５及び図６では、その目盛表示部分を示している。なお、図８は、当該高齢期シミュレーション装具Ａによる６０歳代の疑似高齢期状態を作り出す際の調節換算比率の算出実験データを示す各シミュレーションのデータ表であり、図９は、当該高齢期シミュレーション装具Ａによる７０歳代の疑似高齢期状態を作り出す際の調節換算比率の算出実験データを示す各シミュレーションのデータ表であり、図１０は、この図８及び図９の算出実験データに基づいて作成された調節長さを示す換算表である。
【００２２】
まず、第１の発明を実施するための最良の形態に係る高齢期シミュレーション装具Ａは、腰部装着具２０と、この腰部装着具２０に取り付けられて被験者Ｂにおける身体の前面側から首Ｂａの背面側に掛け回される長さ調節可能な首掛け具１０と、この腰部装着具２０に長さ調節可能な第１の連結手段５０によって連結される膝関節部装着具３０と、この膝関節部装着具３０に長さ調節可能な第２の連結手段６０によって連結される足関節部装着具４０とを備えている構成としてある。
【００２３】
なお、前記腰部装着具２０は被験者Ｂの腰部分に都合良く装着し得る形態を備えたものであれば、いかなる構成からなるものであっても、また、いかなる素材によって構成してあってもよい。例えば、腰部を一巡り又は一巡り以上巡るように当該腰部に巻き付けられる幅広の帯状装着具として構成したり、連結ベルトを備えた幅広の帯状体を腰部の前面側に押し当てると共に腰部の背面側に回した前記連結ベルト相互を留め付けるようにして構成するなど腰部を巡るように当該腰部に装着されるものであれば、いかなる形態からなるものであってもよい。
【００２４】
また、かかる腰部装着具２０は、例えば、その全部又は一部を伸縮性を有する素材によって構成し、その伸縮性を利用して腰部に巻き付けるように装着するようにしてあっても、また、伸縮しない素材によって構成し腰部を圧迫するように腰部に巻き付け装着するなど、いかなる構成のものであってもよい。
【００２５】
また、かかる腰部装着具２０は、例えば、その一端側に雄雌をなす一方の面ファスナーを他端側に他方の面ファスナーを備え付け用意し、この各面ファスナーの係着によって腰部に巻き付け止着したり、一端側にバックルの雄側を、他端側にバックルの雌側をそれぞれ備え付け用意し、この各バックルの雄雌を掛合することによって腰部に巻き付け止着したり、一端側にベルトを他端側に当該ベルトを引き絞り可能に挿通・係合されるバックルを備え付け用意し、このバックルに挿通したベルトを引き絞って腰部に止着するなど、いかなる留め付け手段２２によって留め付け得るようにしてあってもよい
【００２６】
また、前記首掛け具１０は、腰部装着具２０に取り付けられて身体の前面側から首Ｂａの背面側に掛け回される長さ調節可能な形態を備えておれば、いかなる構成からなるものであっても、また、いかなる素材によって構成してあってもよい。
【００２７】
かかる首掛け具１０は、例えば、前記腰部装着具２０に一体に備えられていても、また、この腰部装着具２０に対してバックルその他の留め具によって着脱可能に取り付け用い得るようにしてあって、さらには、この、腰部装着具２０に対して一端側を止着状態とし、他端側をバックル等の留め具によって当該腰部装着具２０に取り付け得るようにするなど、いかなる構成にしてあってもよい
【００２８】
かかる首掛け具１０は、例えば、ベルトで構成したり、紐で構成したり、幅広帯状体とベルト又は紐によって構成するなど、いかなる構成としてあってもよく、そのいずれかにおいて当該首掛け具１０の長さ調節をなし得るように構成してある。
【００２９】
かかる長さ調節手段は、腰部装着具２０に取り付けられて被験者Ｂの身体の前面側から首Ｂａの背面側に掛け回される首掛け具１０を、被験者Ｂが背筋を伸ばした自然な直立姿勢の状態で、その緩みをなくすように調節し得る機能と、この状態から、被験者Ｂの上体を所定の角度に曲げるように調節し得る機能とを備えたものであれば、一個の長さ調節手段によって当該首掛け具１０の長さ調節をなし得るようにしてあっても、複数個の長さ調節手段によって当該首掛け具１０の長さ調節をなし得るようにしてあってもよい。
【００３０】
また、かかる首掛け具１０の長さ調節手段は、例えば、首掛け具１０を複数部分で構成し、その各構成部分における一端側をベルトとし、他端側に当該ベルトの挿通される環を設け、一方の構成部分におけるベルトを他の構成部分の環に挿通・折り返すと共に、この挿通・折り返されるベルトの互いに向き合う面に備えられている雌雄をなす面ファスナーを係着させるようにして、その挿通・折り返し長さによって長さ調節をしたり、また、当該一つの構成部分に設けられているベルトを他の構成部分に備えられているバックル、例えば、挿通折り返されるベルトが互いの接触抵抗によって、その引き絞り位置に停止状態に維持される当該バックルに対する挿通、折返し長さによる長さ調節など、いかなる長さ調節手段を用いてあってもよい。
【００３１】
また、前記膝関節部装着具３０は被験者Ｂの膝関節部に都合良く装着し得る形態を備えたものであれば、いかなる構成からなるものであっても、また、いかなる素材によって構成してあってもよい。例えば、膝関節部を一巡り又は一巡り以上巡るように当該膝関節部に巻き付けられる幅広の帯状装着具として構成したり、連結ベルトを備えた幅広のパッド体を膝関節部の前面側に押し当てると共に膝関節部の背面側に回した前記連結ベルト相互を留め付けるようにして構成するなど、膝関節部を巡るように当該膝関節部に装着されるものであれば、いかなる形態からなるものであってもよい。
【００３２】
また、かかる膝関節部装着具３０は、例えば、その全部又は一部を伸縮性を有する素材によって構成し、その伸縮性を利用して膝関節部に巻き付け装着するようにしてあっても、また、伸縮しない素材によって構成し膝関節部に密着するように添装状態に装着するなど、いかなる構成としてあってもよい。
【００３３】
また、かかる膝関節部装着具３０は、例えば、その一端側に雄雌をなす一方の面ファスナーを他端側に他方の面ファスナーを備え付け用意し、この各面ファスナーの係着によって膝関節部に巻き付け止着したり、一端側にバックルの雄側を、他端側にバックルの雌側をそれぞれ備え付け用意し、この各バックルの雄雌を掛合することによって膝関節部に巻き付け止着したり、一端側にベルトを他端側に当該ベルトを引き絞り可能に挿通・係合するバックルを備え付け用意し、このバックルに挿通したベルトを引き絞って膝関節部に止着するなど、いかなる装着手段３２によって止着し得るようにしてあってもよい。
【００３４】
また、かかる膝関節部装着具３０は、この膝関節部装着具３０における所定位置を膝関節部の膝蓋骨に位置づけ得るように構成することによって、前記腰部装着具２０と足関節部装着具４０との間において当該膝関節部装着具３０を、都合良く疑似高齢期状態を作り出し得る位置に容易かつ正確に装着することができる。
【００３５】
また、この膝関節部装着具３０は、この膝関節における膝蓋骨位置から上腿側に延びる装着帯部と、当該膝蓋骨位置から下腿側に延びる装着帯部とを備えた構成とすることによって、首掛け具１０及び第１の連結手段５０並びに第２の連結手段６０の長さ調節に際して、上腿側にも下腿側にもずれ出さないように当該膝関節部に都合良く装着用いることができる。
【００３６】
また、前記足関節部装着具４０は被験者Ｂの足関節部に都合良く装着し得る形態を備えたものであれば、いかなる構成からなるものであっても、また、いかなる素材によって構成してあってもよい。例えば、足関節部を一巡り又は一巡り以上巡るように当該足関節部に巻き付けられる幅広の帯状装着具として構成したり、連結ベルトを備えた幅広の帯状体を足関節部の前面側に押し当てると共に足関節部の背面側及び足裏側に回した前記連結ベルト相互を留め付けるようにして構成したり、ブーツ形状に構成したり、踵部と爪先部とが外部に露呈する態様のブーツ形状に構成したり、バレーシューズ状に構成したり、踵部と爪先部とが外部に露呈されているバレーシューズ状に構成するなど、足関節部に都合良く密着して装着され得るものであれば、いかなる形態からなるものであってもよい。
【００３７】
また、かかる足関節部装着具４０は、例えば、その全部又は一部を伸縮性を有する素材によって構成し、その伸縮性を利用して足関節部に装着するようにしてあっても、また、伸縮しない素材によって足関節部に密着するように添装状態で装着するなど、いかなる構成としてあってもよい。
【００３８】
また、かかる足関節部装着具４０は、例えば、足首部分からやや上方に延び、しかも、踵部と爪先部を有しないアンクルブーツ状のものとして構成し、履き込み側から甲側に備えられている締め紐を締め込む構成とすることによって、足関節部に密着し、しかも、疑似高齢期状態での各種動作に際してずれ出すことなく当該動作に都合良く適応した装着状態を維持し得る足関節部装着具４０とすることができる。
【００３９】
また、前記第１の連結手段５０は、かかる腰部装着具２０と膝関節部装着具３０とを長さ調節可能に連結し得るものであれば、いかなる構成の連結手段であってもよく、また、いかなる素材によって構成してあってもよい。
【００４０】
かかる第１の連結手段５０は、例えば、一端側を腰部装着具２０に一体に備えられ、かつ他端側を膝関節部装着具３０に適宜の長さ調節手段で長さ調節可能に留め付けられる構成としたものや、一端側を膝関節部装着具３０に一体に備えられ、かつ他端側を腰部装着具２０に適宜の長さ調節手段で長さ調節可能に留め付けられる構成としたものや、一端側が腰部装着具２０に他端側が膝関節部装着具３０にそれぞれ一体に備えられ、かつ適宜の長さ調節手段で互いに長さ調節可能に連結される構成としたものや、これら腰部装着具２０と膝関節部装着具３０に着脱可能に留め付けられると共に適宜の長さ調節手段で長さ調節し得る構成としたもの等、いかなる構成のものであってもよい。
【００４１】
また、かかる第１の連結手段５０は、紐やベルトや幅広帯状体等いかなる構造の連結手段であってもよく、例えば、雌雄をなすバックル相互の掛合によって腰部装着具２０と膝関節部装着具３０とを連結するようにしてあっても、また、挿通・折り返されるベルトの接触抵抗によって引き絞り位置に停止され得るようにしたバックルによって連結するようにしてあっても、また腰部装着具２０、膝関節部装着具３０に備えられる環に挿通されるベルトの挿通・折り返し部分の重なり面に備えられている雌雄をなす面ファスナーを当該ベルトの引き絞り位置で係着させるようにしてあってもよい。
【００４２】
また、かかる第１の連結手段５０は、それぞれの膝関節部装着具３０と腰部装着具２０との間に備えられる一本の連結手段によって構成してあっても、また、複数本の連結手段によって構成してあってもよい。
【００４３】
また、前記第２の連結手段６０は、それぞれの膝関節部装着具３０と足関節部装着具４０とを長さ調節可能に連結し得るものであれば、いかなる構成の連結手段であってもよく、また、いかなる素材によって構成してあってもよい。
【００４４】
かかる第２の連結手段６０は、例えば、一端側を膝関節部装着具３０に一体に備えられ、かつ他端側を足関節部装着具４０に適宜の長さ調節手段で長さ調節可能に留め付けられる構成としたものや、一端側を足関節部装着具４０に一体に備えられ、かつ他端側を膝関節部装着具３０に適宜の長さ調節手段で長さ調節可能に留め付けられる構成としたものや、一端側が膝関節部装着具３０に他端側が足関節部装着具４０にそれぞれ一体に備えられ、かつ適宜の長さ調節手段で互いに長さ調節可能に連結される構成としたものや、これら膝関節部装着具３０と足関節部装着具４０に着脱可能に留め付けられると共に適宜の長さ調節手段で長さ調節し得る構成としたもの等、いかなる構成のものであってもよい。
【００４５】
また、かかる第２の連結手段６０は、紐やベルトや幅広帯状体等いかなる構造の連結手段であってもよく、例えば、雌雄をなすバックル相互の掛合によって膝関節部装着具３０と足関節部装着具４０とを連結するようにしてあっても、また、挿通・折り返されるベルトの接触抵抗によって引き絞り位置に停止され得るようにしたバックルによって連結するようにしてあっても、また膝関節部装着具３０、足関節部装着具４０に備えられる環に挿通されるベルトの挿通・折り返し部分の重なり面に備えられている雌雄をなす面ファスナーを当該ベルトの引き絞り位置で係着させるようにしてあってもよい。
【００４６】
また、かかる第２の連結手段６０は、それぞれの膝関節部装着具３０と足関節部装着具４０との間に備えられる一本の連結手段によって構成してあっても、また、複数本の連結手段によって構成してあってもよい。
【００４７】
また、第２の発明を実施するための最良の形態に係るに係る高齢期シミュレーション装具Ａの装着方法は、前記第１の発明に係る高齢期シミュレーション装具Ａを被験者Ｂに装着させ、背筋を伸ばした自然な直立姿勢の状態において首掛け具１０と、第１の連結手段５０と、第２の連結手段６０とを緩みの無い状態にし、ついで、この緩みの無い状態に調節された首掛け具１０と第１の連結手段５０とを、疑似高齢期状態とするように所定の比率で短縮する構成としてある。
【００４８】
かかる第１の発明に係る高齢期シミュレーション装具Ａ及び第２の発明に係る高齢期シミュレーション装具Ａの装着方法にあっては、高齢者自身によるシミュレーションが不要であって、適宜の被験者Ｂが当該高齢期シミュレーション装具Ａを装着し、首掛け具１０と第１の連結手段５０とを所定の比率で短縮することによって、目的とする年齢対応の高齢期状況を容易かつ確実にシミュレーションすることができ、このシミュレーションに基づいて高齢者介護方法等の想定や、高齢者用住空間の設計や、高齢者用施設の設計や、高齢者用装置・機器等の設計や、高齢者用品の設計等の参考として用いることができる。
【００４９】
特に、前記構成に係る高齢期シミュレーション装具Ａにあっては、その一方側に備えられている首掛け具１０が被験者Ｂにおける首Ｂａに掛けられ、また、他方側に備えられている足関節部装着具４０が足関節部に装着される構成としてあることから、被験者Ｂが当該高齢期シミュレーション装具Ａを装着して、前記首掛け具１０及び第１の連結手段５０を縮める向きに操作した際にあっても、腰部装着具２０及び膝関節部装着具３０の移動がなく、当該首掛け具１０及び第１の連結手段５０の短縮によって作り出された高齢期疑似状態を確実に維持することができる。
【００５０】
また、第３の発明を実施するための最良の形態に係る高齢期シミュレーション装具Ａは、前記第１の発明に係る高齢期シミュレーション装具Ａにおける首掛け具１０と第１の連結手段５０とに長さ目盛９０が備えられており、この長さ目盛９０が首掛け具１０及び第１の連結手段５０の長さ調節の目安としてある。
【００５１】
また、第４の発明を実施するための最良の形態に係る高齢期シミュレーション装具Ａの装着方法は、前記第３の発明に係る高齢期シミュレーション装具Ａを被験者Ｂに装着させ、背筋を伸ばした自然な直立姿勢の状態において首掛け具１０と、第１の連結手段５０と、第２の連結手段６０とを緩みの無い状態とし、この緩みの無い状態に調節された首掛け具１０及び第１の連結手段５０における各長さ調節位置の目盛９０を読み取ると共に、この読み取り長さから疑似高齢期に対応する比率の長さを算出し、ついで、この算出された長さに前記目盛９０を用いて当該首掛け具１０と第１の連結手段５０とを短縮する構成としてある。
【００５２】
このように構成される第３の発明に係る高齢期シミュレーション装具Ａ及び第４の発明に係る高齢期シミュレーション装具Ａの装着方法にあっては、高齢期シミュレーション装具Ａに備えられている目盛９０によって、首掛け具１０及び第１の連結手段５０を所定の比率で正確に短縮し、目的とする高齢期疑似状態を、容易に、しかも、正確に、再現性良く作り出すことができる。
【００５３】
ついで、図１〜図１０に示される典型的な高齢期シミュレーション装具Ａ及び当該高齢期シミュレーション装具Ａの装着方法について具体的に説明する。
【００５４】
ここで用いられる高齢期シミュレーション装具Ａは、腰部装着具２０と、この腰部装着具２０に取り付けられて被験者Ｂの身体の前面側から首Ｂａの背面側に掛け回される長さ調節可能な首掛け具１０と、この腰部装着具２０に長さ調節可能な第１の連結手段５０によってそれぞれ連結される膝関節部装着具３０と、この膝関節部装着具３０に長さ調節可能な第２の連結手段６０によってそれぞれ連結される足関節部装着具４０とを備えている構成としてある。
【００５５】
そして、かかる構成からなる高齢期シミュレーション装具Ａにおける首掛け具１０の各ベルト１２，１２と第１の連結手段５０における各ベルト５１，５１とに長さ目盛９０が設けてあり、この長さ目盛９０が首掛け具１０及び第１の連結手段５０の長さ調節の目安としてある。
【００５６】
まず、前記腰部装着具２０は、この図示例にあっては、被験者Ｂの腰部に巻き付け状態で装着される幅広の帯状体２１によって構成してある。この帯状体２１は、被験者Ｂの腰部に巻き付けられ、かつ、その端部が互いに重なり合う長さを備えたものとしてあり、この互いに重なりあった際に向き合う面に雌雄をなす面ファスナー２２ａが当該帯状体２１の留め付け手段２２として設けてある。そして、この腰部装着具２０を、首掛け具１０の留め付けに用いられる一対のバックル８０’と、それぞれの膝関節部装着具３０に連結する一対の第１の連結手段５０の各ベルト５１の各調節用留め具５２とが、被験者Ｂの身体の前面側において左右対称となるように当該被験者Ｂの腰部に装着する。
【００５７】
かかる被験者Ｂの腰部に装着される腰部装着具２０における帯状体２１に留め具８０としてのバックル８０’を介して首掛け具１０が、被験者Ｂの身体の前面側から首Ｂａの背面側に掛け回されるように設けてある。この首掛け具１０は、被験者Ｂの首Ｂａから左右対称となるように掛け回されて、ほぼ垂下状態で腰部装着具２０に連結し得る位置において前記各留め具８０、８０で当該腰部装着具２０に対してそれぞれ着脱可能に取り付けてある。
【００５８】
この首掛け具１０は、首Ｂａの背面側に掛け回される首掛け部１１と一対のベルト１２とによって構成してあり、この各ベルト１２の下端に備えられている留め具８０、８０の一方をなすバックル雄具８０ａを、前記帯状体２１の上縁部に備えられている取付テープ８０ｃに取り付けてある他方留め具８０をなすバックル雌具８０ｂに着脱可能に掛合し、かつ、この各ベルト１２の上端側を首掛け部１１の両端にそれぞれ備えられている長さ調節手段としての各無段階調節用留め具７０、より具体的には挿通・反転される各ベルト１２相互が、その接触抵抗によって、その反転、絞り込み位置に停止し得るバックル７０ａ、例えば、ラダーバックルに対して挿通・反転させて、長さ調節可能に連結してある。また、この各ベルト１２には、当該バックル７０ａに挿通・反転した各ベルト１２の面に目盛９０が設けてあり、各バックル７０ａに設けてある読み取り指標７０ｂ位置における当該各ベルト１２の引き絞り量等を読み取り得るようにしてある。
【００５９】
この図示例に示される一対の膝関節部装着具３０は、四角形状をなすパッド体３１と、このパッド体３１を膝関節部の膝蓋骨側に添装した状態で当該パッド体３１を各膝関節部に装着する装着手段３２とを備えており、このパッド体３１は、そのほぼ中央部に膝頭Ｂｂを納め入れる穴３１ｄを有し、この穴３１ｄの側方のパッド体３１の縁部にＶ字状切欠部３１ｃが設けてある。
【００６０】
かかるパッド体３１を備える膝関節部装着具３０は、膝関節部を含んで上腿側にやや延び、かつ、この膝関節部を含んで下腿側にやや延びる大きさのパッド体３１としてあり、この膝関節部を含む上腿側の一部と下腿側の一部とを当該パッド体３１によって覆うようになすと共に前記装着手段３２で当該各膝関節部に密着するように装着、用い得る構成としてある。
【００６１】
すなわち、膝頭Ｂｂの突き出される穴３１ｄ及びＶ字状切欠部３１ｃよりも上方位置にある当該パッド体３１の上腿側パッド部３１ａの一方側縁部に装着手段３２としての締着用ベルト３２ａを設け、他方側縁部に止着されている取付テープ３２ｄに備えられている装着手段３２としての環３２ｃに当該締着用ベルト３２ａを挿通・反転し得るようにしてあり、また、この穴３１ｄ及びＶ字状切欠部３１ｃよりも下方位置にある当該パッド体３１の下腿側パッド部３１ｂの一方側縁部に装着手段３２としての締着用ベルト３２ａを設け、他方側縁部に止着されている取付テープ３２ｄに備えられている装着手段３２としての環３２ｃに当該締着用ベルト３２ａを挿通・反転し得るようにしてある。そして、この環３２ｃに挿通・反転される締着用ベルト３２ａには当該挿通・反転時に互いに向き合う面に雌雄をなす面ファスナー３２ｂが設けてあり、膝頭Ｂｂを穴３１ｄから突き出すように、すなわち、膝蓋骨位置に当該穴３１ｄを位置づけた状態で、膝関節部の上部側に上腿側パッド部３１ａを、下部側に下腿側パッド部３１ｂを添装し、それぞれを前記締着用ベルト３２ａで締め付け、この締め付け状態で前記雌雄をなす面ファスナー３２ｂを係着するようにしてあり、膝関節部装着具３０を各膝関節部に対して上下方向にずれ出さないように装着できる構成としてある。
【００６２】
かかる腰部装着具２０と当該それぞれの膝関節部装着具３０とを第１の連結手段５０によってそれぞれ長さ調節可能に連結するようにしてある。この第１の連結手段５０は、留め具５３によって膝関節部装着具３０に対して着脱可能に装着し得るベルト５１、すなわち、膝関節部装着具３０におけるパッド体３１のほぼ中央の上縁部、すなわち、前記穴３１ｄの直上位置に止着されている取付テープ５３ｃに備えられているバックル雌具５３ｂにバックル雄具５３ａを係脱可能に差し入れ掛合して連結されるベルト５１と、前記腰部装着具２０の帯状体２１の下縁部に止着されている取付テープ５２ｃに備えられている長さ調節手段としての無段階調節用留め具５２、より具体的には、挿通・反転される前記ベルト５１が互いに接触し、その接触抵抗によって当該ベルト５１が反転、引き絞り位置で停止状態に維持されるバックル５２ａ、例えば、ラダーバックルとで構成してある。なお、この各バックル５２ａに挿通・反転した各ベルト５１の面に長さ目盛９０が設けてあり、バックル５２ａに挿通・反転したベルト５１の引き絞り量等を当該バックル５２ａの読み取り指標５２ｂ位置で読み取り得るようにしてある。
【００６３】
また、それぞれの膝関節部装着具３０に第２の連結手段６０によってそれぞれ連結される各足関節部装着具４０は、足関節部を含んで足首側にやや延び、かつ、足関節部を含んで爪先側にやや延びて足関節部を覆う履き物状装着具、より具体的には、踵部と爪先側とをカットしたＬ字状に屈曲した筒状装着具４１、更に、具体的には、踵部と爪先部とをカットしたブーツ状装着具として構成してあり、このＬ字状に屈曲した筒状装着具４１の立ち上がり側が足首側収容部４１ａとしてあり、横向き側が足側収容部４１ｂとしてあって、踵部Ｂｃの突き出される穴４２が開口してある。また、この筒状装着具４１における履き口側の上端から甲部４１ｄに向けて襠状部４１ｃが設けてあり、この襠状部４１ｃに沿って設けられている紐通し孔に通された締め紐４３によって当該襠状部４１ｃの幅を狭めるようにして足関節部装着具４０を足関節部に密着状態に装着する。
【００６４】
かかるそれぞれの足関節部装着具４０と膝関節部装着具３０とをそれぞれ第２の連結手段６０によって長さ調節可能に連結するようにしてある。この第２の連結手段６０は、留め具６３によって足関節部装着具４０に対して着脱可能に装着し得るベルト６１、すなわち、足関節部装着具４０における襠状部４１ｃのほぼ中央の上縁部に止着されている取付テープ６３ｃに備えられているバックル雌具６３ｂにバックル雄具６３ａを係脱可能に差し入れ掛合して連結されるベルト６１と、前記膝関節部装着具３０のパッド体３１における下縁部のほぼ中央部に止着されている取付テープ６２ｂに備えられている長さ調節手段としての無段階調節用留め具６２、より具体的には、挿通・反転される前記ベルト６１が互いに接触し、その接触抵抗によって当該ベルト６１が反転、引き絞り位置で停止状態に維持されるバックル６２ａ、例えば、ラダーバックルとで構成してある。
【００６５】
かかる構成からなる高齢期シミュレーション装具Ａを装着して疑似高齢期状態のシミュレーションをする。この高齢期シミュレーション装具Ａの装着は、例えば、前記首掛け具１０、腰部装着具２０、一対の膝関節部装着具３０、一対の足関節部装着具４０及び一対の第１の連結手段５０並びに一対の第２の連結手段６０をそれぞれ個別に用意し、これらを順次に装着するようにしても、また、腰部装着具２０に一対の第１の連結手段５０を取り付け用意し、それぞれの膝関節部装着具３０に第２の連結手段６０を取り付け用意した状態で腰部装着具２０と、膝関節部装着具３０と、足関節部装着具４０とを被験者Ｂに装着準備し、首Ｂａに掛けた首掛け具１０と腰部装着具２０とを各留め具８０で連結し、腰部装着具２０に備えられている各第１の連結手段５０をそれぞれ膝関節部装着具３０に留め具５３で連結し、更に、それぞれの膝関節部装着具３０に備えられている第２の連結手段６０を足関節部装着具４０に留め具６３で連結する等適宜の方法でなすことができる。
【００６６】
なお、この高齢期シミュレーション装具Ａの装着において、膝頭Ｂｂを前記穴３１ｄ内に位置づけて膝関節部装着具３０を各膝関節部に装着すると共に、足の爪先側Ｂｄを先端側開口から外部に突き出させ、かつ、穴４２から踵部Ｂｃが露出するように足関節部装着具４０を履き込み、締め紐４３を十分に絞って当該足関節部装着具４０を各足関節部に装着する。
【００６７】
かかる高齢期シミュレーション装具Ａは、前記ベルト１２、１２と、ベルト５１、５１と、ベルト６１、６１とを緩みの無い状態にセットした後、ベルト１２、１２を調節用留め具７０、７０を用いて長さ調節し、かつ、ベルト５１、５１を調節用留め具５２、５２を用いて長さ調節することによって、被験者Ｂを確実に目的とする各疑似高齢期状態にするものであって、この各ベルト１２、５１の長さ調節のための比率及び長さを以下の方法で得ると共に、当該方法で得られた各長さ調節比率及び調節長さをもとに当該各ベルト１２、１５を調節用留め具７０、５２を用いて調節し、目的とする疑似高齢期状態を精度良く、再現し得るようにしてある。
【００６８】
かかる高齢期シミュレーション装具Ａを用いて被験者Ｂを疑似高齢期状態にする際の前記各ベルト１２、５１の長さ調節比率及び調節長さは、
各加齢状態における歩幅の変化量と歩速、床反力、重心動揺、関節モーメント等の各種動作の変化量とが概ね比例する点に着眼し、２０歳代〜３０歳代と対比した各年代毎の歩幅の変化率に、前記高齢期シミュレーション装具Ａを装着した疑似高齢期のシミュレーション時における被験者の歩幅の変化率を近似させ、
この各歩幅の変化率を近似した状態における当該高齢期シミュレーション装具Ａにおける首掛け具１０及び第１の連結手段５０、より具体的には、ベルト１２、１２及びベルト５１、５１の長さと、当該高齢期シミュレーション装具Ａを装着して背筋を伸ばした自然な直立姿勢の状態において緩みの無い状態に調整された首掛け具１０及び第１の連結手段、より具体的には、ベルト１２、１２とベルト５１、５１の長さとを比較して得られた比率、及び当該比率に前記高齢期シミュレーション装具Ａを装着して背筋を伸ばした自然な直立姿勢の状態における前記ベルト１２及びベルト５１の長さを乗じて得られた調整用長さとしてあり、
当該調整長さにベルト１２、５１を調整することによって目的とする各高齢期状態を精度良くかつ容易に被験者Ｂもたらすことができる。
【００６９】
まず、各年齢層における歩幅の平均値を当該年齢層における身長の平均値で除した数値の変化率を確認したところ：
（１）  ２０歳代〜３０歳代における歩幅の平均値を当該年代における身長の平均値で除した数値に対して、６０歳代における歩幅の平均値を当該年代における身長の平均値で除した数値の変化率（減少率）は８６．９％であった。
（２）  ２０歳代〜３０歳代における歩幅の平均値を当該年代における身長の平均値で除した数値に対して、７０歳代における歩幅の平均値を当該年代における身長の平均値で除した数値の変化率（減少率）は８１．４％であった。
【００７０】
ついで、複数の被験者Ｂに当該高齢期シミュレーション装具Ａを装着し、以下の条件で目的とする各疑似高齢期をシミュレーションした。
（１）  測定方法：長さ１０，０００ｍｍの歩行路を自由歩行し、その歩行路の中間付近にマーキングした６，０００ｍｍ間隔の距離を進む歩数を計測し、６，０００ｍｍを当該歩数で割った値を歩幅とした。
（２）  歩行路：木質フローリング仕上げで、幅９００ｍｍ、長さ１０，０００ｍｍ。
（３）  被験者：健常な２０〜３０歳代の男女であって、上半身にはランニングシャツ、下半身には動きを束縛しない程度に皮膚に密着し、伸縮性を有して体表面の動きに追従し得る膝上までのタイツ、足部には木綿製靴下を装着した。
（４）  その他：室温をほぼ２４℃とし、歩行の速度、歩行の激しさは各被験者の自由とし、高齢期シミュレーション装具の装着時に無理に速く、激しく動作する必要がない旨諭して、十分な休憩をとりながらシミュレーションをした。
【００７１】
まず、前記高齢期シミュレーション装具Ａを複数の２０歳代〜３０歳代の被験者Ｂに装着し、当該被験者Ｂが背筋を伸ばした自然な直立姿勢状態において前記首掛け具１０、第１の連結手段５０、第２の連結手段６０が緩みの無い状態となるようにベルト１２、１２、ベルト５１、５１、ベルト６１、６１を引き絞り、この状態におけるベルト１２の長さ（バックル７０ａにおける読み取り指標７０ｂ位置の目盛）及びベルト５１の長さ（バックル５２ａの読み取り指標５２ｂ位置の目盛）を測定し、また、当該被験者Ｂの歩幅を身長で除した数値を得る。
【００７２】
ついで、このベルト１２、１２及びベルト５１、５１を短縮した当該被験者Ｂの疑似高齢期状態における歩幅を身長で除した数値が前記で得られた数値に対して疑似対象とされる前記高齢期の変化率（具体的には、６０歳代のシミュレーション時には８６．９％、７０歳代のシミュレーション時には８１．４％）となるように当該ベルト１２、ベルト５１を短縮し、このベルト１２を短縮した際の長さをバックル７０ａの読み取り指標７０ｂで、ベルト５１を短縮した際の長さをバックル５２ａの読み取り指標５２ｂで読み取る。
【００７３】
このようにして得られたベルト１２、ベルト５１における前記の短縮前の長さと、短縮後における長さとを比較して、その変化率（短縮率）を複数の被験者Ｂによる当該シミュレーション装具Ａの装着、使用によって得た。
【００７４】
図８及び図９は、各被験者Ｂが当該高齢期シミュレーション装具Ａを装着した各条件における測定値と、その変化量とを示す各シミュレーションのデータ表であって、当該高齢期シミュレーション装具Ａの装着使用において、２０歳代〜３０歳代における前記ベルト１２、ベルト５１の長さに対して、６０歳代の疑似高齢期のシミュレーションでは、当該ベルト１２、ベルト５１の長さがほぼ９０％であった。（図８参照）
また、２０歳代〜３０歳代における前記ベルト１２、ベルト５１の長さに対して、７０歳代の疑似高齢期のシミュレーションでは、当該ベルト１２、ベルト５１の長さがほぼ８５％であった。（図９参照）
【００７５】
かかるシミュレーションで得られた各測定値及び変化率から、まず、被験者Ｂが背筋を伸ばした自然な直立姿勢の状態で当該高齢期シミュレーション装具Ａにおける首掛け具１０と、第１の連結手段５０と、第２の連結手段６０とを緩みの無い状態にした際の、首掛け具１０及び第１の連結手段５０における長さ調節用留め具７０、５２、より具体的には、バックル７０ａの読み取り指標７０ｂ位置のベルト１２の目盛９０、及びバックル５２ａの読み取り指標５２ｂ位置のベルト５１の目盛９０を読み取り、ついで、この読み取り長さに０．９を乗じて「６０歳代長さ」を得、また、この読み取り長さに０．８５を乗じて「７０歳代長さ」を得た。図１０は、この「２０歳代〜３０歳代長さ」に対応する「６０歳代長さ」及び「７０歳代長さ」の換算表である。
【００７６】
かかる点から、まず、２０歳代〜３０歳代の被験者を用意し、高齢期シミュレーション装具Ａを身につけた当該被験者Ｂが、背筋を伸ばした自然な直立姿勢をとりながら、調節用留め具７０に挿通したベルト１２と、調節用留め具５２に挿通したベルト５１と、調節用留め具６２に挿通したベルト６１とを順次に引き絞って、各ベルト１２，５１，６１を緩みの無い状態、すなわち、首掛け具１０の掛けられる首Ｂａと足関節部装着具４０の装着される踵部Ｂｃ間の寸法に、当該装着状態にある高齢期シミュレーション装具Ａにおける首掛け具１０と足関節部装着具４０との間の寸法が一致するように各ベルト１２，５１，６１を引き絞る。（図１参照）
【００７７】
そして、このベルト１２の挿通されるバックル７０ａにおける読み取り指標７０ｂにある目盛９０と、ベルト５１の挿通されるバックル５２ａにおける読み取り指標５２ｂにある目盛９０とを読み取る。（図５及び図６参照）
【００７８】
ついで、図２に示すように前記ベルト１２及びベルト５１に緩みを生ずるように椅子に座って、前記目盛９０で読み取った各数値の所定比率相当の長さ分を当該ベルト１２、１２及びベルト５１、５１を引き絞ることによって、前記状態にある首掛け具１０と第１の連結手段５０とを短縮し、図３に示されるような疑似高齢期状態とする。
【００７９】
この被験者Ｂが背筋を伸ばした自然な直立姿勢において緩み無く張られたベルト１２及びベルト５１を短くする長さ調節は、このベルト１２及びベルト５１においてほぼ同一の比率で行われる。
【００８０】
かかるベルト１２及びベルト５１の長さ調節は、当該高齢期シミュレーション装具Ａを装着してシミュレーションする被験者Ｂが２０歳代〜３０歳代であって、シミュレーションしようとする疑似高齢期が６０歳代の場合にあっては、先に読み取られた長さの９０％相当の長さに、また、同様の条件でシミュレーションしようとする疑似高齢期が７０歳代の場合にあっては、先に読み取られた長さの８５％相当の長さに、当該ベルト１２及びベルト５１を短縮することによって、当該各疑似高齢期状態をシミュレーションすることができる。
【００８１】
また、２０歳代〜３０歳代の被験者Ｂが背筋を伸ばした自然な直立姿勢の状態で当該高齢期シミュレーション装具Ａにおける首掛け具１０と、第１の連結手段５０と、第２の連結手段６０とを緩みの無い状態にした際のバックル７０ａの読み取り指標７０ｂ位置のベルト１２の目盛９０と、バックル５２ａの読み取り指標５２ｂ位置にあるベルト５１の目盛９０とを読み取り、これに対応している図１０に示される換算表における「６０歳代長さ」、「７０歳代長さ」に当該首掛け具１０及び第１の連結手段５０の各目盛９０を合わせるように当該首掛け具１０及び第１の連結手段５０を短くすることで、被験者Ｂを目的とする６０歳代、７０歳代の疑似高齢期状態にすることができる。
【００８２】
なお、この図示例に係る高齢期シミュレーション装具Ａにあっては、被験者Ｂが装着する高齢期シミュレーション装具Ａが、首掛け具１０と足関節部装着具４０によって、その初期装着位置からずれ出すことがなく、また、首掛け具１０、腰部装着具２０、膝関節部装着具３０、足関節部装着具４０のいずれもが、目的とする位置に正しく装着・維持されることから、目的とする疑似高齢期状態を正確に、かつ、連続してシミュレーションすることができる。また、前記留め具８０，留め具５３，留め具６３の脱着や、調節用留め具７０、調節用留め具５２，調節用留め具６２締め込み・緩み戻しによって、長時間にわたる疑似高齢期状態のシミュレーションを連続的になし得ると共に、再現性良く反復してなすことができる。
【図面の簡単な説明】
【００８３】
【図１】典型的な高齢期シミュレーション装具を装着して自然な直立姿勢をした際の斜視図
【図２】同椅子に座って首掛け具及び第一の連結手段の長さ調節をしている状態を示す斜視図
【図３】同高齢期シミュレーション装具を装着してシミュレーションをしている状態を示す斜視図
【図４】同高齢期シミュレーション装具の斜視図
【図５】同高齢期シミュレーション装具の要部の斜視図
【図６】同高齢期シミュレーション装具の他の要部の斜視図
【図７】同高齢期シミュレーション装具の更に他の要部の斜視図
【図８】同首掛け具及び第１の連結手段の調節長さの比率を求める６０歳代におけるシミュレーションのデータ表
【図９】同首掛け具及び第１の連結手段の調節長さの比率を求める７０歳代におけるシミュレーションのデータ表
【図１０】同首掛け具及び第１の連結手段の長さ調節に用いられる換算表
【符号の説明】
【００８４】
Ａ  高齢期シミュレーション装具
Ｂ  被験者
１０  首掛け具
２０  腰部装着具
３０  膝関節部装着具
４０  足関節部装着具
５０  第１の連結手段
６０  第２の連結手段
９０  目盛
【図１】
2007052207.tif 000003
【図２】
2007052207.tif 000004
【図３】
2007052207.tif 000005
【図４】
2007052207.tif 000006
【図５】
2007052207.tif 000007
【図６】
2007052207.tif 000008
【図７】
2007052207.tif 000009
【図８】
2007052207.tif 000010
【図９】
2007052207.tif 000011
【図１０】
2007052207.tif 000012